(57)【要約】【課題】記憶媒体に記録されるデータの不正利用を防止することが可能な処理装置、接続装置、処理システム、処理方法およびプログラムを提供する。【解決手段】携帯電話機は、携帯電話機に接続された接続装置固有の第１固有情報に基づいて記憶媒体への記録用の情報が暗号化されて生成された第１暗号化データを、携帯電話機固有の第２固有情報に基づいて暗号化して第２暗号化情報を生成する処理部と、処理部が生成した第２暗号化情報を記憶媒体に記録する記録部と、を含む。【選択図】図１
2012191332.tif 000002
【特許請求の範囲】
【請求項１】
自装置に接続された接続装置固有の第１固有情報に基づいて記憶媒体への記録用の情報が暗号化されて生成された第１暗号化情報を自装置固有の第２固有情報に基づいて暗号化して第２暗号化情報を生成する処理手段と、
前記処理手段が生成した第２暗号化情報を前記記憶媒体に記録する記録手段と、を含む処理装置。
【請求項２】
請求項１に記載の処理装置において、
前記処理手段は、
前記接続装置から、前記記録用の情報と、前記第１固有情報と、を受信する受信手段と、
前記記録用の情報を前記第１固有情報に基づいて暗号化して前記第１暗号化情報を生成し、前記第１暗号化情報を前記第２固有情報に基づいて暗号化して前記第２暗号化情報を生成する生成手段と、を含む、処理装置。
【請求項３】
請求項１または２に記載の処理装置において、
前記処理手段は、
前記接続装置から、前記第１暗号化情報を受信する受信手段と、
前記受信手段が受信した第１暗号化情報を前記第２固有情報に基づいて暗号化して前記第２暗号化情報を生成する生成手段と、を含む、処理装置。
【請求項４】
処理装置に接続された記憶媒体への記録用の情報を自装置固有の第１固有情報に基づいて暗号化して第１暗号化情報を生成する所定生成手段と、
前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手段と、を含む接続装置。
【請求項５】
処理装置と、前記処理装置に接続される接続装置と、を有する処理システムであって、
前記処理装置は、
前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手段と、
前記処理手段が生成した第２暗号化情報を前記記憶媒体に記録する記録手段と、を含む、処理システム。
【請求項６】
処理装置が行う処理方法であって、
前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、
前記第２暗号化情報を前記記憶媒体に記録する記録ステップと、を含む処理方法。
【請求項７】
処理装置に接続される接続装置が行う処理方法であって、
前記処理装置に接続された記憶媒体への記録用の情報を前記接続装置固有の第１固有情報に基づいて暗号化して第１暗号化情報を生成する所定生成ステップと、
前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信ステップと、を含む処理方法。
【請求項８】
処理装置と、前記処理装置に接続される接続装置と、を有する処理システムの処理方法であって、
前記処理装置が、前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、
前記処理装置が、前記第２暗号化情報を前記記憶媒体に記録する記録ステップと、を含む処理方法。
【請求項９】
処理装置内のコンピュータに、
前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手順と、
前記第２暗号化情報を前記記憶媒体に記録する記録手順と、を実行させるためのプログラム。
【請求項１０】
処理装置に接続される接続装置内のコンピュータに、
前記処理装置に接続された記憶媒体への記録用の情報を前記接続装置固有の第１固有情報に基づいて暗号化して第１暗号化情報を生成する所定生成手順と、
前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手順と、を実行させるためのプログラム。
【発明の詳細な説明】
【技術分野】
【０００１】
本発明は、処理装置、接続装置、処理システム、処理方法およびプログラムに関し、特には、記憶媒体にアクセスする処理装置、接続装置、処理システム、処理方法およびプログラムに関する。
【背景技術】
【０００２】
特許文献１には、端末の不正利用を防止することが可能な処理端末が記載されている。特許文献１に記載の処理端末には、脱着可能な記憶媒体が装着される。
【０００３】
特許文献１に記載の処理端末は、内蔵メモリに記憶されたコンテンツデータを端末固有の情報で暗号化し、その暗号化されたデータを記憶媒体に記憶し、また、内蔵メモリに記憶されたコンテンツデータを鍵データとして設定する。
【０００４】
特許文献１に記載の処理端末は、記憶媒体が装着されると、記憶媒体内の暗号化されたデータを端末固有の情報で復号し、その復号されたデータと鍵データとが一致しない場合には処理端末自体の操作を制限する。
【先行技術文献】
【特許文献】
【０００５】
【特許文献１】特開２００７−２５９２１２号公報
【発明の概要】
【発明が解決しようとする課題】
【０００６】
特許文献１に記載の処理端末に記憶媒体が装着されている状況で、パソコンなどの接続装置が処理装置とＵＳＢケーブルなどで接続された場合、接続装置から、記録媒体に記録されたデータが読み出される可能性がある。
【０００７】
このため、接続装置以外の装置が処理装置と接続され、その接続装置以外の装置からのデータが記憶媒体に記憶されている場合、処理装置と接続された接続装置から、記録媒体に記憶されているデータが読み出されるおそれがある。
【０００８】
よって、記憶媒体に記録されたデータが第３者にて不正に利用されるおそれがあるという問題があった。
【０００９】
本発明の目的は、記憶媒体に記録されるデータの不正利用を防止することが可能な処理装置、接続装置、処理システム、処理方法およびプログラムを提供することにある。
【課題を解決するための手段】
【００１０】
本発明の処理装置は、自装置に接続された接続装置固有の第１固有情報に基づいて記憶媒体への記録用の情報が暗号化されて生成された第１暗号化情報を自装置固有の第２固有情報に基づいて暗号化して第２暗号化情報を生成する処理手段と、前記処理手段が生成した第２暗号化情報を前記記憶媒体に記録する記録手段と、を含む。
【００１１】
本発明の接続装置は、処理装置に接続された記憶媒体への記録用の情報を自装置固有の第１固有情報に基づいて暗号化して第１暗号化情報を生成する所定生成手段と、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手段と、を含む。
【００１２】
本発明の処理システムは、処理装置と、前記処理装置に接続される接続装置と、を有する処理システムであって、前記処理装置は、前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手段と、前記処理手段が生成した第２暗号化情報を前記記憶媒体に記録する記録手段と、を含む。
【００１３】
本発明の処理方法は、処理装置が行う処理方法であって、前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、前記第２暗号化情報を前記記憶媒体に記録する記録ステップと、を含む。
【００１４】
本発明の処理方法は、処理装置に接続される接続装置が行う処理方法であって、前記処理装置に接続された記憶媒体への記録用の情報を前記接続装置固有の第１固有情報に基づいて暗号化して第１暗号化情報を生成する所定生成ステップと、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信ステップと、を含む。
【００１５】
本発明の処理方法は、処理装置と、前記処理装置に接続される接続装置と、を有する処理システムの処理方法であって、前記処理装置が、前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、前記処理装置が、前記第２暗号化情報を前記記憶媒体に記録する記録ステップと、を含む。
【００１６】
本発明のプログラムは、処理装置内のコンピュータに、前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手順と、前記第２暗号化情報を前記記憶媒体に記録する記録手順と、を実行させる。
【００１７】
本発明のプログラムは、処理装置に接続される接続装置内のコンピュータに、前記処理装置に接続された記憶媒体への記録用の情報を前記接続装置固有の第１固有情報に基づいて暗号化して第１暗号化情報を生成する所定生成手順と、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手順と、を実行させる。
【発明の効果】
【００１８】
本発明によれば、記憶媒体に記録されるデータの不正利用を防止することが可能になる。
【図面の簡単な説明】
【００１９】
【図１】本発明の実施形態における携帯電話機の構成例を示すブロック図である。
【図２】本実施形態におけるパソコンの構成例を示すブロック図である。
【図３】本実施形態における処理システムの構成例を示すブロック図である。
【図４】パソコン鍵情報を携帯電話機に登録する鍵登録処理を示すフローチャートである。
【図５】パソコンから、ＳＤカードにデータを記録する処理を示すフローチャートである。
【図６】パソコンから、ＳＤカードのデータを読み出す処理を示すフローチャートである。
【図７】携帯電話機がＳＤカードにＳＤデータを記録する処理を示すフローチャートである。
【図８】携帯電話機がＳＤカードからデータを読み出す処理を示すフローチャートである。
【発明を実施するための形態】
【００２０】
以下、本発明の一実施形態について図面を参照して説明する。
【００２１】
図１は、本実施形態における携帯電話機の構成例を示すブロック図である。
【００２２】
携帯電話機１は、携帯電話機１と接続された接続装置と通信を行い、携帯電話機１に装着された記憶媒体にアクセスする処理装置として用いられる。本実施形態では、外部の接続装置としてパーソナルコンピュータ（以下、「パソコン」と称する。）が用いられる。なお、接続装置はパソコンに限られない。
【００２３】
記憶媒体としては、例えば、ＵＳＢ（Universal Serial Bus）メモリなどのリムーバブルメディア（Removable media）、ＭＯ（Magneto-Optical disk）などのリムーバブルディスク、ＣＤ−Ｒ（Compact Disc-Recordable）などが用いられる。本実施形態では、記憶媒体としてＳＤ（Secure Digital）カードが用いられる。
【００２４】
携帯電話機１は、処理部１０と記録部１３とを備える。処理部１０は、受信部１１と生成部１２とを備える。受信部１１は、固有情報記憶部１０４と、主制御部１０５と、操作部１０６と、パソコンＩＦ（Interface）部１０７と、メモリ１０８と、を備える。生成部１２は、ＳＤカード制御部１０１と、携帯電話鍵記憶部１０２と、パソコン鍵記憶部１０３と、を備える。
【００２５】
処理部１０は、一般的に処理手段と呼ぶことができる。
【００２６】
処理部１０は、携帯電話機１に接続されたパソコンの固有のパソコン鍵情報に基づいてＳＤカードへの記録用のデータが暗号化されて生成された第１暗号化データを携帯電話機１固有の携帯電話鍵情報に基づいて暗号化して第２暗号化データを生成する。なお、パソコン鍵情報は、第１固有情報と呼ぶこともある。また、ＳＤカードへの記録用のデータはＳＤデータとも称される。
【００２７】
受信部１１は、一般的に受信手段と呼ぶことができる。
【００２８】
受信部１１は、パソコンから、携帯電話機１に装着されたＳＤカードへの記録用のデータと、そのパソコン自身のパソコン鍵情報と、をそれぞれ受信する。また、受信部１１は、パソコンから、パソコン自身が記録用のデータをパソコン自身のパソコン鍵情報に基づいて暗号化して生成した第１暗号化データを受信する。
【００２９】
パソコンＩＦ部１０７は、有線を用いてパソコンと通信を行う。本実施形態ではパソコンＩＦ部１０７は、ＵＳＢケーブルを用いてパソコンと接続して通信を行う。なお、パソコンＩＦ部１０７は、有線に限られず、無線を用いてパソコンと通信を行ってもよい。例えば、パソコンＩＦ部１０７は、Ｂｌｕｅｔｏｏｔｈを用いてパソコンと１対１の通信を行うことも可能である。あるいは、パソコンＩＦ部１０７は、パソコンの代わりに無線ＩＣ（Integrated Circuit）カードと通信を行ってもよい。
【００３０】
操作部１０６は、携帯電話機１のユーザーの操作にて入力される指示を受け付ける。操作部１０６は、例えば、携帯電話機１と接続されたパソコンのパソコン鍵情報を登録する鍵登録指示を受け付ける。また、操作部１０６は、ＳＤカードにＳＤデータを記録する記録指示を受け付ける。操作部１０６は、ユーザーの操作に基づいて入力された指示を受け付けると、その指示を主制御部１０５に供給する。
【００３１】
主制御部１０５は、ＳＤカード制御部１０１と、固有情報記憶部１０４と、操作部１０６と、パソコンＩＦ部１０７と、メモリ１０８とのそれぞれを制御するコンピュータである。
【００３２】
主制御部１０５は、例えば、操作部１０６から鍵登録指示を受け付けると、携帯電話機１に接続されたパソコンに対し、そのパソコン自身のパソコン鍵情報の送信を要求する旨の鍵要求情報を、パソコンＩＦ部１０７を介して送信する。その後、主制御部１０５は、パソコンからパソコンＩＦ部１０７を介してパソコン鍵情報を受信し、そのパソコン鍵情報をＳＤカード制御部１０１に供給する。ＳＤカード制御部１０１は、パソコン鍵情報を受け付けると、パソコン鍵情報をパソコン鍵記憶部１０３に格納する。
【００３３】
また、主制御部１０５は、操作部１０６から記録指示を受け付けると、例えば、パソコンから送信されたＳＤデータを、パソコンＩＦ部１０７を介して受信し、そのＳＤデータをＳＤカード制御部１０１に供給する。または、主制御部１０５は、操作部１０６から記録指示を受け付けると、メモリ１０８内のＳＤデータをカード制御部１０１に供給する。
【００３４】
メモリ１０８は、主制御部１０５が実行するプログラムを保持する。なお、メモリ１０８は、コンピュータ読み取り可能な記録媒体である。また、メモリ１０８は、例えば、ＳＤカードに記録するＳＤデータを保持する。
【００３５】
固有情報記憶部１０４は、携帯電話機１固有の固有情報を記憶する。携帯電話機１の固有情報としては、例えば、携帯電話機１のＩＭＥＩ（International Mobile Equipment Identifier：国際移動体装置識別番号（端末識別番号））が用いられる。
【００３６】
生成部１２は、一般的に生成手段または特定生成手段と呼ぶことができる。
【００３７】
生成部１２は、受信部１１がパソコンから受信したＳＤデータ、または、メモリ１０８内のＳＤデータを、受信部１１が受信したパソコン鍵情報に基づいて暗号化して第１暗号化データを生成する。さらに生成部１２、その第１暗号化データを携帯電話機１自身の携帯電話鍵情報に基づいて暗号化して第２暗号化データを生成する。また、生成部１２は、受信部１１がパソコンから第１暗号化データを受信した場合には、その第１暗号化データを携帯電話機１自身の携帯電話情報に基づいて暗号化して第２暗号化データを生成する。
【００３８】
携帯電話鍵記憶部１０２は、携帯電話機１の固有情報である携帯電話鍵情報を記憶する。携帯電話鍵情報は、ＳＤカードに記録するＳＤデータを暗号化するために用いられる。携帯電話鍵情報としては、例えば、固有情報記憶部１０４内のＩＭＥＩ、携帯電話機１の製造番号や、携帯電話機１にインストールされたアプリケーションのシリアル番号などが用いられる。あるいは、ユーザーが設定したパスワードや、日時情報、ランダムデータなどを用いて、製造番号またはシリアル番号に演算処理を施したものが使用されてもよい。なお、携帯電話鍵情報は、第２固有情報と呼ぶこともある。
【００３９】
パソコン鍵記憶部１０３は、パソコンＩＦ部１０７が受信したパソコン鍵情報を記憶する。パソコン鍵は、ＳＤデータを暗号化するために用いられる。
【００４０】
ＳＤカード制御部１０１は、制御部１０５からＳＤデータを受け付けると、パソコン鍵記憶部１０３からパソコン鍵情報を取得し、ＳＤデータをパソコン鍵情報に基づいて暗号化して第１暗号化データを生成する。さらにＳＤカード制御部１０１は、携帯電話鍵記憶部１０２から携帯電話鍵情報を取得し、その携帯電話鍵情報に基づいて第１暗号化データをさらに暗号化して第２暗号化データを生成する。ＳＤカード制御部１０１は、第２暗号化データを記録部１３に供給する
記録部１３は、一般的に記録手段と呼ぶことができる。
【００４１】
記録部１３は、処理部１０が生成した第２暗号化データをＳＤカードに記録する。つまり、記録部１３は、生成部１２内のＳＤカード制御部１０１から第２暗号化データを受け付けると、ＳＤカードに第２暗号化データを記録する。
【００４２】
次に携帯電話機１がＳＤカードに記録された第２暗号化データを読み出す例について説明する。
【００４３】
操作部１０６は、ＳＤカードに記憶された第２暗号化データを読み出す読出し指示を受け付け、その読出し指示を主制御部１０５に供給する。主制御部１０５は、読出し指示を受け付けると、ＳＤカード制御部１０１に読出し指示を供給し、ＳＤカード制御部１０１は、その読出し指示を記録部１３に供給する。
【００４４】
記録部１３は、読出し指示を受け付けると、その読出し指示にて特定される第２暗号化データをＳＤカードから読み出す。記録部１３は、その第２暗号化データをＳＤカード制御部１０１に供給する。
【００４５】
ＳＤカード制御部１０１は、記録部１３から第２暗号化データを受け付けると、携帯電話鍵記憶部１０２から携帯電話鍵情報を取得し、その携帯電話鍵情報を用いて第２暗号化データを復号して第１暗号化データを生成する。
【００４６】
さらにＳＤカード制御部１０１は、パソコン鍵記憶部１０３からパソコン鍵情報を取得し、そのパソコン鍵情報を用いて第１暗号化データを復号する。よって、ＳＤカードに記録された第２暗号化データはＳＤデータに復元される。復元されたＳＤデータは、例えば、不図示の表示部に表示される。なお、ＳＤカードに記憶された第２暗号化データ以外のデータが読み出された場合には、本来のデータには復元されない。
【００４７】
また、ＳＤカード制御部１０１は、復号して生成した第１暗号化データを、パソコンＩＦ部７を介してパソコンに送信することも可能である。
【００４８】
次にパソコンから、携帯電話機に装着されたＳＤカードにＳＤデータを記録する例について説明する。
【００４９】
図２は、本実施形態におけるパソコンの構成例を示すブロック図である。
【００５０】
パソコン２は、ＳＤカードにアクセスするために、ＳＤカードが装着された携帯電話機と接続を行う。
【００５１】
パソコン２は、送信部２１と生成部２２とを備える。送信部２１は、固有情報記憶部２０３と、主制御部２０４と、操作部２０５と、携帯電話ＩＦ部２０６と、メモリ２０７と、を備える。生成部２２は、ＳＤカード制御部２０１とパソコン鍵記憶部２０２とを備える。
【００５２】
固有情報記憶部２０３は、パソコン２固有の固有情報を記憶する。パソコン２の固有情報として、例えば、パソコン２の製造番号や、ＳＤカードにアクセスするためにパソコン２にインストールされたアプリケーションのシリアル番号などが記憶されている。
【００５３】
操作部２０５は、パソコン２のユーザーの操作にて入力される指示を受け付ける。操作部２０５は、メモリ２０７内のＳＤデータをＳＤカードに記録する記録指示を受け付ける。操作部２０５は、ユーザーの操作に基づいて入力された指示を主制御部２０４に供給する。主制御部２０４は、操作部２０５から記録指示を受け付けると、例えば、メモリ２０７内のＳＤデータをＳＤカード制御部２０１に供給する。
【００５４】
生成部２２は、一般的に所定生成手段と呼ぶことができる。
【００５５】
生成部２２は、ＳＤカードへの記録用のＳＤデータをパソコン２固有のパソコン鍵情報に基づいて暗号化して第１暗号化データを生成する。なお、パソコン鍵情報は、第１固有情報とも呼ばれる。
【００５６】
パソコン鍵記憶部２０２は、パソコン２の固有情報であるパソコン鍵情報を記憶する。パソコン鍵情報は、ＳＤデータを暗号化するために用いられる。パソコン鍵情報としては、例えば、パソコン２の製造番号やパソコン２にインストールされたアプリケーションのシリアル番号が用いられる。あるいは、ユーザーが設定したパスワードや、日時情報、ランダムデータなどを用いて、製造番号またはシリアル番号に演算処理を施したものが使用されてもよい。
【００５７】
ＳＤカード制御部２０１は、主制御部２０４からＳＤデータを受け付けると、パソコン鍵記憶部２０２からパソコン鍵情報を取得し、そのパソコン鍵情報を用いてＳＤデータを暗号化して第１暗号化データを生成する。ＳＤカード制御部２０１は、その第１暗号化データを主制御部２０４に供給する。
【００５８】
送信部２１は、一般的に送信手段と呼ぶことができる。
【００５９】
送信部２１は、携帯電話機が第１暗号化データを携帯電話機の携帯電話鍵情報に基づいて暗号化した後の第２暗号化データをＳＤカードに記憶する旨の記録要求情報として、第１暗号化データを携帯電話機に送信する。
【００６０】
携帯電話ＩＦ部２０６は、有線を用いて携帯電話機と通信を行う。本実施形態では携帯電話ＩＦ部２０６は、ＵＳＢケーブルを用いて携帯電話機と接続して通信を行う。なお、携帯電話ＩＦ部２０６は、有線に限らず、無線を用いて携帯電話機と通信を行ってもよい。例えば、携帯電話ＩＦ部２０６は、Ｂｌｕｅｔｏｏｔｈを用いて携帯電話機と１対１の通信を行うことも可能である。
【００６１】
主制御部２０４は、ＳＤカード制御部２０１と、固有情報記憶部２０３と、操作部２０５と、携帯電話ＩＦ部２０６と、メモリ２０７とのそれぞれを制御するコンピュータである。
【００６２】
主制御部２０４は、ＳＤカード制御部２０１から第１暗号化データを受け付けると、例えば、携帯電話ＩＦ部２０６を介して、第１暗号化データを記録要求情報として携帯電話機に送信する。あるいは、主制御部２０４は、携帯電話ＩＦ部２０６を介して、記録要求情報と共に第１暗号化データを携帯電話機に送信する。
【００６３】
メモリ２０７は、主制御部２０４が実行するプログラムを保持する。なお、メモリ２０７は、コンピュータ読み取り可能な記録媒体である。また、メモリ２０７は、例えば、ＳＤカードに記録するＳＤデータを保持する。
【００６４】
次にパソコン２から携帯電話機に装着されたＳＤカードに記録された第２暗号化データを読み出す例について説明する。
【００６５】
操作部２０５は、ＳＤカードに記録された第２暗号化データを読み出す読出し指示を受け付ける。操作部２０５は、その読出し指示を主制御部２０４に供給する。
【００６６】
主制御部２０４は、操作部２０５から読出し指示を受け付けると、携帯電話ＩＦ部２０６を介して、ＳＤカードに記録された第２暗号化データの読出しを要求する旨の読出し要求情報を携帯電話機に送信する。なお、読出し要求情報は、ＳＤカードに記録された第２暗号化データの復号を要求する復号要求情報とも呼ばれる。携帯電話機は、読出し要求情報を受信すると、その読出し要求情報にて特定される第２暗号化データを携帯電話自身の携帯電話鍵情報を用いて復号して生成した第１暗号化データをパソコン２に送信する。
【００６７】
主制御部２０４は、携帯電話機から携帯電話ＩＦ部２０６を介して第１暗号化データを受信すると、第１暗号化データをパソコン鍵記憶部２０２内のパソコン鍵情報に基づいて復号する。よって、第１暗号化データはＳＤデータに復元される。なお、ＳＤカードに記憶された第２暗号化データ以外のデータが読み出された場合には、本来のデータには復元されない。
【００６８】
次に携帯電話機とパソコンとを有する処理システムにおける動作について説明する。
【００６９】
図３は、本実施形態における処理システムの構成例を示すブロック図である。
【００７０】
処理システム４は、携帯電話機１とパソコン２とＳＤカード３とを備える。なお、携帯電話機１は、図１に示した構成と同様であり、図１と同一符号を付してここでの説明を省略する。また、パソコン２も図２に示した構成と同様であり、図２と同一符号を付してここでの説明を省略する。
【００７１】
処理システム４では、携帯電話機１内のパソコンＩＦ部１０７と、パソコン２内の携帯電話ＩＦ部２０６とが、ＵＳＢケーブで接続されている。よって、携帯電話機１は、パソコンＩＦ部１０７を介してパソコン２と通信を行い、パソコン２は、携帯電話ＩＦ部２０６を介して携帯電話機１と通信を行う。また、携帯電話機１にはＳＤカード３が装着されている。処理システム４は、携帯電話機１と接続されたパソコン２から、ＳＤカード３内のデータを読み書きする機能を有する。
【００７２】
次に処理システム４の動作について図面を参照して説明する。
【００７３】
図４は、携帯電話機１がパソコン鍵情報を登録する鍵登録処理を示すフローチャートである。
【００７４】
まず、操作部１０６は、パソコン２のパソコン鍵情報を登録する鍵登録指示を受け付けると、その鍵登録指示を主制御部１０５に供給する（ステップＳ９０１）。そして、携帯電話機１は、鍵登録処理を開始する。
【００７５】
主制御部１０５は、鍵登録指示を受け付けると、パソコン２にパソコン鍵情報の送信を要求する旨の鍵要求情報を、パソコンＩＦ部１０７を介して携帯電話ＩＦ部２０６へ送信する（ステップＳ９０２）。携帯電話ＩＦ部２０６は、鍵要求情報を受信すると、その鍵要求情報を主制御部２０４に供給する。
【００７６】
主制御部２０４は、鍵要求情報を受け付けると、固有情報記憶部２０３からパソコン２固有の固有情報を読出し、その固有情報をＳＤカード制御部２０１に供給する。ＳＤカード制御部２０１は、主制御部２０４からパソコン２の固有情報を受け付けると、その固有情報をパソコン２のパソコン鍵情報としてパソコン鍵記憶部２０２に記録する（ステップＳ９０３）。
【００７７】
また、主制御部２０４は、パソコン鍵記憶部２０２に記録されたパソコン鍵情報を、携帯電話ＩＦ部２０６を介してパソコンＩＦ部１０７に送信する（ステップＳ９０４）。パソコンＩＦ部１０７は、携帯電話ＩＦ部２０６からパソコン鍵情報を受信すると、パソコン鍵情報を主制御部１０５に供給する。
【００７８】
主制御部１０５は、パソコンＩＦ部１０７からパソコン鍵情報を受け付けると、そのパソコン鍵情報をＳＤカード制御部１０１に供給する。ＳＤカード制御部１０１は、パソコン鍵情報を受け付けると、パソコン鍵情報をパソコン鍵記憶部１０３に格納する（ステップＳ９０５）。そして携帯電話機１は、鍵登録処理を終了する。
【００７９】
図５は、パソコン２から送信されたデータを携帯電話機１がＳＤカード３に記録する処理を示すフローチャートである。
【００８０】
まず、パソコン２内の操作部２０５は、ＳＤカード３にＳＤデータを記録する記録指示を受け付けると、その記録指示を主制御部２０４に供給する（ステップＳ９１１）。主制御部２０４は、例えば、記録指示にて特定されるメモリ２０７内のＳＤデータを、ＳＤカード制御部２０１に供給する。
【００８１】
ＳＤカード制御部２０１は、主制御部２０４からＳＤデータを受け付けると、パソコン鍵記憶部２０２からパソコン鍵情報を取得し、そのパソコン鍵情報を用いてＳＤデータを暗号化して第１暗号化データを生成する（ステップＳ９１２）。ＳＤカード制御部２０１は、第１暗号化データを主制御部２０４に供給する。
【００８２】
主制御部２０４は、ＳＤカード制御部２０１から第１暗号化データを受け付けると、記録要求情報と共に第１暗号化データを、携帯電話ＩＦ部２０６を介してパソコンＩＦ部１０７へ送信する（ステップＳ９１３）。なお、主制御部２０４は、記録要求情報として第１暗号化データをパソコンＩＦ部１０７へ送信してもよい。記録要求情報とは、第１暗号化データを携帯電話鍵記憶部１０２内の携帯電話鍵情報に基づいて暗号化して生成した第２暗号化データのＳＤカード３への記録を要求する旨の要求情報のことである。
【００８３】
パソコンＩＦ部１０７は、携帯電話ＩＦ部２０６から記録要求情報と第１暗号化データとを受信すると、第１暗号化データと記録要求情報とを主制御部１０５に供給する。主制御部１０５は、第１暗号化データと記録要求情報とを受け付けると、第１暗号化データをＳＤカード制御部１０１に供給する。
【００８４】
ＳＤカード制御部１０１は、主制御部１０５から第１暗号化データを受け付けると、携帯電話鍵記憶部１０２から携帯電話鍵情報を取得し、その携帯電話鍵情報を用いて第１暗号化データを暗号化して第２暗号化データを生成する（ステップＳ９１４）。
【００８５】
ＳＤカード制御部１０１は、その第２暗号化データを記録部１３に供給する。記録部１３は、第２暗号化データを受け付けると、第２暗号化データをＳＤカード３に記録する（ステップＳ９１５）。
【００８６】
図６は、パソコン２からの要求に応じて携帯電話機１がＳＤカード３からデータを読み出す処理を示すフローチャートである。図６では、ＳＤカード３に記録された第２暗号化データを読み出す例について説明する。
【００８７】
まず、操作部２０５は、ＳＤカード３内の第２暗号化データを読み出す読出し指示を受け付けると、その読出し指示を主制御部２０４に供給する（ステップＳ９２１）。
【００８８】
主制御部２０４は、操作部２０５から読出し指示を受け付けると、その読出し指示を読出し要求情報として、携帯電話ＩＦ部２０６を介してパソコンＩＦ部１０７へ送信する（ステップＳ９２２）。
【００８９】
パソコンＩＦ部１０７は、携帯電話ＩＦ部２０６から読出し要求情報を受信すると、読出し要求情報を主制御部１０５に供給する。主制御部１０５は、読出し要求情報を受け付けると、読出し要求情報をＳＤカード制御部１０１に供給し、ＳＤカード制御部１０１は、読出し要求情報を記録部１３に供給する。
【００９０】
記録部１３は、読出し要求情報を受け付けると、読出し要求情報にて特定される第２暗号化データをＳＤカード３から読み出す（ステップＳ９２３）。記録部１３は、ＳＤカード３から第２暗号化データを読み出すと、その第２暗号化データをＳＤカード制御部１０１に供給する。
【００９１】
ＳＤカード制御部１０１は、記録部１３から第２暗号化データを受け付けると、携帯電話鍵記憶部１０２から携帯電話鍵情報を取得し、その携帯電話鍵情報を用いて第２暗号化データを復号して第１暗号化データを生成する。ＳＤカード制御部１０１は、その第１暗号化データを主制御部１０５に供給する。主制御部１０５は、第１暗号化データを受け付けると、パソコンＩＦ部１０７を介して、第１暗号化データを携帯電話ＩＦ部２０６に送信する（ステップＳ９２４）。
【００９２】
携帯電話ＩＦ部２０６は、パソコンＩＦ部１０７から第１暗号化データを受信すると、その第１暗号化データを主制御部２０４に供給し、主制御部２０４は、第１暗号化データをＳＤカード制御部２０１に供給する。
【００９３】
ＳＤカード制御部２０１は、主制御部２０４から第１暗号化データを受け付けると、パソコン鍵記憶部２０２からパソコン鍵情報を取得し、そのパソコン鍵情報を用いて第１暗号化データを復号する（ステップＳ９２５）。よって、ＳＤカード３に記憶された第２暗号化データはＳＤデータに復元される。
【００９４】
図７は、携帯電話機１がＳＤカード３にＳＤデータを記録する処理を示すフローチャートである。
【００９５】
まず、操作部１０６は、ＳＤカード３にＳＤデータを記録する記録指示を受け付けると、その記録指示を主制御部１０５に供給する（ステップＳ９３１）。主制御部１０５は、記録指示を受け付けると、例えば、記録指示にて特定されるメモリ１０８内のＳＤデータをＳＤカード制御部１０１に供給する。
【００９６】
ＳＤカード制御部１０１は、主制御部１０５からＳＤデータを受け付けると、パソコン鍵記憶部１０３からパソコン鍵情報を取得し、そのパソコン鍵情報を用いてＳＤデータを暗号化して第１暗号化データを生成する（ステップＳ９３２）。
【００９７】
その後さらにＳＤカード制御部１０１は、携帯電話鍵記憶部１０２から携帯電話鍵情報を取得し、その携帯電話鍵情報を用いて第１暗号化データを暗号化して第２暗号化データを生成する（ステップＳ９３３）。
【００９８】
ＳＤカード制御部１０１は、その第２暗号化データを記憶部１３に供給する。記憶部１３は、ＳＤカード制御部１０１から第２暗号化データを受け付けると、第２暗号化データをＳＤカード３に記録する（ステップＳ９３４）。
【００９９】
図８は、携帯電話機１がＳＤカード３からデータを読み出す処理を示すフローチャートである。図８では、ＳＤカード３に記録された第２暗号化データを読み出す例について説明する。
【０１００】
まず、操作部１０６は、ＳＤカード３に記録された第２暗号化データを読み出す読出し指示を受け付けると、読出し指示を主制御部１０５に供給する（ステップＳ９４１）。主制御部１０５は、読出し指示を受け付けると、読出し指示をＳＤカード制御部１０１に供給する。ＳＤカード制御部１０１は、読出し指示を受け付けると、その読出し指示を記録部１３に供給する。
【０１０１】
記録部１３は、ＳＤカード制御部１０１から読出し指示を受け付けると、読出し指示にて特定される第２暗号化データをＳＤカード３から読み出す（ステップＳ９４２）。記録部１３は、第２暗号化データを読み出すと、第２暗号化データをＳＤカード制御部１０１に供給する。
【０１０２】
ＳＤカード制御部１０１は、記録部１３から第２暗号化データを受け付けると、携帯電話鍵記憶部１０２から携帯電話鍵情報を取得し、携帯電話鍵情報を用いて第２暗号化データを復号して第１暗号化データを生成する（ステップＳ９４３）。
【０１０３】
その後さらにＳＤカード制御部１０１は、パソコン鍵記憶部１０３からパソコン鍵情報を取得し、そのパソコン鍵情報を用いて、携帯電話鍵情報で復号された第１暗号化データを復号する（ステップＳ９４４）。よって、ＳＤカード３に記憶された第２暗号化データはＳＤデータに復元される。
【０１０４】
本実施形態によれば、処理装置である携帯電話機１において、処理部１０は、携帯電話機１に接続されたパソコン２固有のパソコン鍵情報と、記憶媒体であるＳＤカード３への記録用のＳＤデータとを含む第１暗号化データを、携帯電話機１固有の携帯電話機情報に基づいて暗号化して第２暗号化データを生成する。記録部１３は、処理部１０が生成した第２暗号化データをＳＤカード３に記録する。なお、第１暗号化データは、ＳＤデータがパソコン鍵情報に基づいて暗号化されて生成されたデータである。
【０１０５】
このため、携帯電話機１は、携帯電話機１自身の携帯電話鍵情報だけでなく、パソコン２のパソコン鍵情報を用いてＳＤデータが暗号化された第２暗号化データをＳＤカード３に記録する。
【０１０６】
したがって、ＳＤカード３に記憶された第２暗号化データを復号するには、携帯電話機１の携帯電話鍵情報だけでなく、パソコン２のパソコン鍵情報がなければ、第２暗号化データは復元されない。例えば、携帯電話機１からＳＤカード３が取り外され、第３者が使用する別の携帯電話機にＳＤカード３が装着されても、別の携帯電話機は、携帯電話機１の携帯電話鍵情報とパソコン２のパソコン鍵情報とを保持していないので、ＳＤカード３内の第２暗号化データを復元することはできない。つまり、特定のパソコン２と接続された特定の携帯電話機１以外の装置では、ＳＤカード３に記録された第２暗号化データを復号することができない。
【０１０７】
よって、携帯電話機１は、ＳＤカード３に記録されるデータの不正利用の防止を図ることができる。
【０１０８】
また、本実施形態の携帯電話機１では、受信部１１は、パソコン２から、記録用のＳＤデータと、パソコン２のパソコン鍵情報と、を受信する。そして生成部１２は、ＳＤデータをパソコン２のパソコン鍵情報に基づいて暗号化して第１暗号化データを生成し、その第１暗号化データを携帯電話機１の携帯電話鍵情報に基づいて暗号化して第２暗号化データを生成する。そして記録部１３は、生成部１２が生成した第２暗号化データをＳＤカード３に記録する。
【０１０９】
このため、携帯電話機１は、パソコン鍵情報を受信した後であれば、パソコン２が接続されていない状況でも、第２暗号化データを生成することができる。さらに、携帯電話機１は、携帯電話機１内に記憶されたデータを第２暗号化データに変換してＳＤカード３に記録することもできる。
【０１１０】
また、本実施形態の携帯電話機１では、記録部１３が、ＳＤカード３に記録された第２暗号化データを読み出し、生成部１２は、記録部１３が読み出した第２暗号化データを、携帯電話機１の携帯電話鍵情報に基づいて復号して第１暗号化データを生成し、その第１暗号化データをパソコン２のパソコン鍵情報に基づいて復号する。
【０１１１】
このため、携帯電話機１は、携帯電話機１の携帯電話鍵情報だけでなく、パソコン２のパソコン鍵情報を用いてＳＤカード３に記憶された第２暗号化データを復号するので、第２暗号化データを本来のＳＤデータに復元することができる。
【０１１２】
また、本実施形態の携帯電話機１では、受信部１１が、パソコン２から、パソコン２がＳＤデータをパソコン２のパソコン鍵情報に基づいて暗号化して生成した第１暗号化データを受信することも可能である。この場合、生成部１２は、受信部１１が受信した第１暗号化データを、携帯電話機１の携帯電話鍵情報に基づいて暗号化して第２暗号化データを生成する。そして記録部１３が、その第２暗号化データをＳＤデータ３に記録する。
【０１１３】
このため、携帯電話機１は、第１暗号化データを生成する必要がないため、暗号化に伴う処理を削減できるので、携帯電話機１の処理負荷を低減することができる。また、パソコン２は、携帯電話機１にパソコン２のパソコン鍵情報を送信する必要がないので、パソコン鍵情報の漏えいの可能性を低減することが可能となる。
【０１１４】
また、本実施形態の携帯電話機１では、記録部１３が、ＳＤカード３に記録された第２暗号化データを読み出し、生成部１２は、記録部１３が読み出した第２暗号化データを、携帯電話機１の携帯電話鍵情報に基づいて復号して第１暗号化データを生成し、その第１暗号化データをパソコン２に送信することも可能である。
【０１１５】
このため、パソコン２から、ＳＤカード３内の第２暗号化データを読み出す状況で携帯電話機１は、第２暗号化データを復元したＳＤデータではなく、第１暗号化データをパソコン２に送信するので、パソコン２との通信の秘匿性を高めることができる。
【０１１６】
また、本実施形態によれば、パソコン２において、生成部２２は、携帯電話機１に接続されたＳＤカード３への記録用のＳＤデータをパソコン２のパソコン鍵情報に基づいて暗号化して第１暗号化情報を生成する。そして送信部２１は、携帯電話機１が第１暗号化データを携帯電話機１の携帯電話鍵情報に基づいて暗号化して生成する第２暗号化データのＳＤカード３への記録を要求する旨の記録要求情報として、第１暗号化データを携帯電話機１に送信する。
【０１１７】
このため、パソコン２はＳＤカード３への記録要求情報として第１暗号化データを携帯電話機１に送信することで、携帯電話機１が第１暗号化データを携帯電話機１の携帯電話鍵情報で暗号化した第２暗号化データが、ＳＤカード３に記録されることになる。よって、ＳＤカード３に記録される第２暗号化データの不正利用を防止することが可能となる。
【０１１８】
また、本実施形態のパソコン２では、送信部２１は、ＳＤカード３に記録された第２暗号化データの読出し（復号）を要求する旨の読出し要求情報（復号要求情報）を携帯電話機１に送信し、その復号要求情報に応じて携帯電話機１は、ＳＤカード３に記録された第２暗号化データを読出し、その第２暗号化データを携帯電話機１の携帯電話鍵情報に基づいて復号して生成した第１暗号化データをパソコン２に送信する。パソコン２が第１暗号化データを受信すると生成部２２は、その第１暗号化データをパソコン２のパソコン鍵情報に基づいて復号する。
【０１１９】
このため、携帯電話機１が、ＳＤカード３に記録された第２暗号化データを携帯電話機１の携帯電話鍵情報で復号して第１暗号化データを生成し、パソコン２は、その第１暗号化データをパソコン２のパソコン鍵情報でさらに復号して本来のＳＤデータに復元する。よって、パソコン２は、ＳＤカード３に記録された第２暗号化データを読み出すことが可能となる。
【０１２０】
また、パソコン２と異なる第３者の別の装置が携帯電話機１に接続された場合、別の装置にはパソコン２のパソコン鍵情報が保持されていないので、ＳＤカード３に記憶された第２暗号化データは復元されることはない。つまり、携帯電話機１に接続されるパソコン２以外の装置は、ＳＤカード３に記録された第２暗号化データを復号することはできない。
【０１２１】
なお、本実施形態では、ＳＤカード３に記録する記録用のデータに暗号化を行う例について説明したが、携帯電話機１内で使用する内部データに暗号化を行ってもよい。この場合、携帯電話機１内の生成部１２は、内部データをパソコン鍵情報に基づいて暗号化し、その暗号化した内部データをさらに携帯電話機１の携帯電話鍵情報に基づいて暗号化して第２暗号化データを生成する。そして生成部１２は、その第２暗号化データを、例えばメモリ１０８に記録する。
【０１２２】
なお、本実施形態では、本発明を携帯電話機に適用する例について説明したが、携帯電話機に限定されるものではなく、脱着可能な記憶媒体が装着される情報端末装置などにも適用することが可能である。
【０１２３】
以上説明した実施形態において、図示した構成は単なる一例であって、本発明はその構成に限定されるものではない。
【０１２４】
上記の実施形態の一部または全部は、以下の付記のようにも記載されうるが、以下には限られない。
【０１２５】
（付記１）自装置に接続された接続装置固有の第１固有情報に基づいて記憶媒体への記録用の情報が暗号化されて生成された第１暗号化情報を自装置固有の第２固有情報に基づいて暗号化して第２暗号化情報を生成する処理手段と、前記処理手段が生成した第２暗号化情報を前記記憶媒体に記録する記録手段と、を含む処理装置。
【０１２６】
（付記２）前記処理手段は、前記接続装置から、前記記録用の情報と、前記第１固有情報と、を受信する受信手段と、前記記録用の情報を前記第１固有情報に基づいて暗号化して前記第１暗号化情報を生成し、前記第１暗号化情報を前記第２固有情報に基づいて暗号化して前記第２暗号化情報を生成する生成手段と、を含む、付記１に記載の処理装置。
【０１２７】
（付記３）前記記録手段は、前記記憶媒体に記録された第２暗号化情報を読み出し、前記処理手段は、前記記録手段が読み出した第２暗号化情報を前記第２固有情報に基づいて復号して前記第１暗号化情報を生成し、該第１暗号化情報を前記第１固有情報に基づいて復号する、付記１または２に記載の処理装置。
【０１２８】
（付記４）前記処理手段は、前記接続装置から、前記第１暗号化情報を受信する受信手段と、前記受信手段が受信した第１暗号化情報を前記第２固有情報に基づいて暗号化して前記第２暗号化情報を生成する生成手段と、を含む、付記１から３のいずれか記載の処理装置。
【０１２９】
（付記５）前記記録手段は、前記記憶媒体に記録された第２暗号化情報を読み出し、前記処理手段は、前記記録手段が読み出した第２暗号化情報を前記第２固有情報に基づいて復号して前記第１暗号化情報を生成し、該第１暗号化情報を前記接続装置に送信する、付記１から４のいずれか記載の処理装置。
【０１３０】
（付記６）処理装置に接続された記憶媒体への記録用の情報を自装置固有の第１固有情報に基づいて暗号化して第１暗号化情報を生成する所定生成手段と、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手段と、を含む接続装置。
【０１３１】
（付記７）前記送信手段は、前記記憶媒体に記録された第２暗号化情報の復号を要求する旨の復号要求情報を前記処理装置に送信し、前記所定生成手段は、前記復号要求情報に応じて前記処理装置が前記記憶媒体に記録された第２暗号化情報を前記第２固有情報に基づいて復号して生成した前記第１暗号化情報を、前記第１固有情報に基づいて復号する、付記６に記載の接続装置。
【０１３２】
（付記８）処理装置と前記処理装置に接続される接続装置とを有する処理システムであって、前記処理装置は、前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手段と、前記処理手段が生成した第２暗号化情報を前記記憶媒体に記録する記録手段と、を含む、処理システム。
【０１３３】
（付記９）前記接続装置は、前記記録用の情報と前記第１固有情報とを送信し、前記処理手段は、前記接続装置から、前記記録用の情報と前記第１固有情報とを受信する受信手段と、前記記録用の情報を前記第１固有情報に基づいて暗号化して前記第１暗号化情報を生成し、前記第１暗号化情報を前記第２固有情報に基づいて暗号化して前記第２暗号化情報を生成する特定生成手段と、を含む、付記８に記載の処理システム。
【０１３４】
（付記１０）前記記録手段は、前記記憶媒体に記録された第２暗号化情報を読み出し、前記処理手段は、前記記録手段が読み出した第２暗号化情報を前記第２固有情報に基づいて復号して前記第１暗号化情報を生成し、該第１暗号化情報を前記第１固有情報に基づいて復号する、付記８または９に記載の処理システム。
【０１３５】
（付記１１）前記接続装置は、前記記録用の情報を前記第１固有情報に基づいて暗号化して第１暗号化情報を生成する所定生成手段と、前記所定生成手段が生成した第１暗号化情報を前記処理装置に送信する送信手段と、を含み、前記処理手段は、前記送信手段から送信された第１暗号化情報を受信する受信手段と、前記受信手段が受信した第１暗号化情報を前記第２固有情報に基づいて暗号化して前記第２暗号化情報を生成する特定生成手段と、を含む、付記８から１０のいずれか記載の処理システム。
【０１３６】
（付記１２）前記送信手段は、前記記憶媒体に記録された第２暗号化情報の復号を要求する旨の復号要求情報を前記処理装置に送信し、前記受信手段は、前記復号要求情報を受信し、前記記録手段は、前記復号要求情報に応じて前記第２暗号化情報を前記記憶媒体から読出し、前記特定生成手段は、前記記録手段が読出した第２暗号化情報を前記第２固有情報に基づいて復号して前記第１暗号化情報を生成し、前記所定生成手段は、前記特定生成手段が生成した第１暗号化情報を前記第１固有情報に基づいて復号する、付記１１に記載の処理システム。
【０１３７】
（付記１３）処理装置が行う処理方法であって、前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、前記第２暗号化情報を前記記憶媒体に記録する記録ステップと、を含む処理方法。
【０１３８】
（付記１４）前記処理ステップは、前記接続装置から、前記記録用の情報と前記第１固有情報とを受信する受信ステップと、前記記録用の情報を前記第１固有情報に基づいて暗号化して前記第１暗号化情報を生成し、前記第１暗号化情報を前記第２固有情報に基づいて暗号化して前記第２暗号化情報を生成する生成ステップと、を含む、付記１３に記載の処理方法。
【０１３９】
（付記１５）前記処理ステップは、前記接続装置から、前記第１暗号化情報を受信する受信ステップと、前記第１暗号化情報を前記第２固有情報に基づいて暗号化して前記第２暗号化情報を生成する生成ステップと、を含む、付記１３または１４のいずれか記載の処理方法。
【０１４０】
（付記１６）処理装置に接続される接続装置が行う処理方法であって、前記処理装置に接続された記憶媒体への記録用の情報を前記接続装置固有の第１固有情報に基づいて暗号化して第１暗号化情報を生成する所定生成ステップと、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信ステップと、を含む処理方法。
【０１４１】
（付記１７）前記送信ステップでは、前記記憶媒体に記録された第２暗号化情報の復号を要求する旨の復号要求情報を前記処理装置に送信し、前記所定生成ステップでは、前記復号要求情報に応じて前記処理装置が前記記録媒体に記録された第２暗号化情報を前記第２固有情報に基づいて復号して生成した第１暗号化情報を前記第１固有情報に基づいて復号する、付記１６に記載の処理方法。
【０１４２】
（付記１８）処理装置と前記処理装置に接続される接続装置とを有する処理システムの処理方法であって、前記処理装置が、前記接続装置固有の第１固有情報に基づいて記憶媒体への記録用の情報が暗号化されて生成された第１暗号化情報を前記処理装置固有の第２固有情報に基づいて暗号化して第２暗号化情報を生成する処理ステップと、前記処理装置が、前記第２暗号化情報を前記記憶媒体に記録する記録ステップと、を含む処理方法。
【０１４３】
（付記１９）前記接続装置は、前記記録用の情報と前記第１固有情報とを送信する送信ステップを含み、前記処理ステップは、前記接続装置から、前記記録用の情報と前記第１固有情報とを受信する受信ステップと、前記記録用の情報を前記第１固有情報に基づいて暗号化して前記第１暗号化情報を生成し、前記第１暗号化情報を前記第２固有情報に基づいて暗号化して前記第２暗号化情報を生成する特定生成ステップと、を含む、付記１８に記載の処理システム。
【０１４４】
（付記２０）前記接続装置は、前記記録用の情報を前記第１固有情報に基づいて暗号化して前記第１暗号化情報を生成する所定生成ステップと、前記接続装置が、前記第１暗号化情報を前記処理装置に送信する送信ステップと、を含み、前記処理ステップは、前記処理装置が、前記第１暗号化情報を受信する受信ステップと、前記処理装置が、前記第１暗号化情報を前記第２固有情報に基づいて暗号化して第２暗号化情報を生成する特定生成ステップと、を含む、付記１８または１９に記載の処理方法。
【０１４５】
（付記２１）処理装置内のコンピュータに、前記処理装置に接続された接続装置固有の第１固有情報に基づいて記憶媒体への記録用の情報が暗号化されて生成された第１暗号化情報を前記処理装置固有の第２固有情報に基づいて暗号化して第２暗号化情報を生成する処理手順と、前記第２暗号化情報を前記記憶媒体に記録する記録手順と、を実行させるためのプログラム。
【０１４６】
（付記２２）処理装置に接続される接続装置内のコンピュータに、前記処理装置に接続された記憶媒体への記録用の情報を前記接続装置固有の第１固有情報に基づいて暗号化して第１暗号化情報を生成する所定生成手順と、前記処理装置が前記第１暗号化情報を前記処理装置固有の第２固有情報に基づいて暗号化して生成する第２暗号化情報の前記記憶媒体への記録を要求する旨の記録要求情報として、該第１暗号化情報を前記処理装置に送信する送信手順と、を実行させるためのプログラム。
【符号の説明】
【０１４７】
１  携帯電話機
２  パソコン
３  ＳＤカード
４  処理システム
１０  処理部
１１  受信部
１２、２２  生成部
１３  記録部
２１  送信部
１０１、２０１  ＳＤカード制御部
１０２  携帯電話鍵記憶部
１０３、２０２  パソコン鍵記憶部
１０４、２０３  固有情報記憶部
１０５、２０４  主制御部
１０６、２０５  操作部
１０７  パソコンＩＦ部
１０８、２０７  メモリ
２０６  携帯電話ＩＦ部
【図１】
2012191332.tif 000003
【図２】
2012191332.tif 000004
【図３】
2012191332.tif 000005
【図４】
2012191332.tif 000006
【図５】
2012191332.tif 000007
【図６】
2012191332.tif 000008
【図７】
2012191332.tif 000009
【図８】
2012191332.tif 000010